(57)【要約】本発明は、引込み可能手段（１７）を有するフラットパネルディスプレイ（テレビジョン受像機等）（Ｄ）の後方において取り付けられる装置に係る。ベイ又はトレイの形状である引込み可能手段（１７）は、フラットパネルディスプレイが壁等に対して取り付けられるとき、ユーザによってアクセス可能であるよう伸張される。
2011502416.tif 000002
【特許請求の範囲】
【請求項１】
装置であって、
フラットパネルディスプレイの後方において取り付けられ、フラットパネルディスプレイが取り付けられるときにユーザによってアクセス可能であるよう伸張するための引込み可能及び／又は伸張可能手段を有する、
装置。
【請求項２】
前記引込み可能及び／又は伸張可能手段は、伸張された後に適所において固定されるよう適合される、
請求項１記載の装置。
【請求項３】
前記引込み可能及び／又は伸張可能手段は、スプリング付勢を有して当該装置へと摺動し、並びに／あるいは当該装置から出るよう摺動する、
請求項１記載の装置。
【請求項４】
前記引込み可能及び／又は伸張可能手段は、使用に対しては伸張し、当該装置への格納に対しては引き込むベイ又はトレイである、
請求項１乃至３のうちいずれか一項記載の装置。
【請求項５】
前記ベイ又はトレイは、接続ポート、メディア装置、及び／又は電源スイッチ機器を有する、
請求項４記載の装置。
【請求項６】
当該装置は、フラットパネルディスプレイと取付け表面との間における付設に対するハウジングの形状であり、
該ハウジングは、ＶＥＳＡ−ＦＤＭＩ穴パターンを備える、
請求項１乃至５のうちいずれか一項記載の装置。
【請求項７】
前記ハウジングは、前記ディスプレイと前記取付け表面との間において、留め具を通すよう合致するＶＥＳＡ−ＦＤＭＩパターンを各々が備える第１及び第２の対向する壁を有する、
請求項６記載の装置。
【請求項８】
前記ＶＥＳＡ−ＦＤＭＩパターンの各穴の周囲においてビレットの形状における支持接合部分がある、
請求項７記載の装置。
【請求項９】
外周周囲において伸張プレートを更に与えられる、
請求項１乃至８のうちいずれか一項記載の装置。
【発明の詳細な説明】
【技術分野】
【０００１】
本願発明は、コンピュータスクリーン又はテレビジョン受像機等であるフラットパネルディスプレイと共に使用されるハウジングに係る。
【背景技術】
【０００２】
フラットパネルディスプレイは、エンタテイメント又はコンピュータの用途において一般的であり、結果として、国際的に認知された基準は、かかる装置を取り付けるためのガイドラインを提供するよう施行されている。ＶＥＳＡ−ＦＤＭＩ（Video  Electronics  Standards  Association  −  Flat  Display  Mounting  Interface）基準は、以下の表１のように四角形／矩形のスクリュパターンの範囲を挙げている。
【０００３】
【表１】
2011502416.tif 000003
このようなスクリュパターンは、壁又は他の取付け装置に対して適用され得る。
【０００４】
現在、テレビジョン受像機がセットトップボックス（デジタルデコーダ）又はメディアプレイヤを含む他の周辺装置を伴うことは一般的である。かかる装置の取付けは、テレビジョン受像機自体に対する美観の重要性を有し得る（前方から観て可視である場合）か、あるいは、大型フラットパネルディスプレイの背部に対してハウジング又は他の装置を付設（アタッチ）するときにアクセスが困難であり得る。壁に対して取り付けられるときのこのようなアクセスの困難性は、ハウジングを視野から見えなくするディスプレイによるものである。小さなクリアランスしかない場合には、ハウジングのエッジは、（例えばユーザの指によっては）到達可能ではないことがあり得る。たとえ装置が到達され得る場合でも、コントロールを稼働させたり調整を行なったりするには十分な空間がないことはあり得る。
【発明の概要】
【発明が解決しようとする課題】
【０００５】
本願発明は望ましくは、フラットパネルディスプレイの背部に対する追加的なハウジング又は筐体の付設に対してＶＥＳＡ−ＦＤＭＩ基準を利用する、ことを目的とする。かかるハウジングは一般的に、１つ又はそれより多くの電子装置を取り囲むことを意図され、スクリーンの前部又は側部から可能な限りアクセス可能であるべきである。
【課題を解決するための手段】
【０００６】
広範な態様において、本願発明は、フラットパネルディスプレイが取り付けられるときにユーザがアクセス可能であるよう伸張する引込み可能及び／又は伸張可能である手段をフラットパネルディスプレイの後方において取り付ける装置に与える。
【０００７】
引込み可能／伸張可能手段は、装置に向かって並びに装置から離れて動き得る伸張可能特性を備えるものとして解釈されるべきであるが、伸張された後には適所において固定されてもよい。
【０００８】
望ましくは当該装置は、フラットパネルディスプレイと取付け表面との間における付設に対するハウジングであり、該ハウジングは、ＶＥＳＡ−ＦＤＭＩ穴パターンを備える。
【０００９】
望ましくはハウジングは、ディスプレイと取付け表面との間において、留め具が通り得るよう整合ＶＥＳＡ−ＦＤＭＩパターンを各々が備える第１及び第２の対向する壁を有する。
【００１０】
望ましくは、ＶＥＳＡ−ＦＤＭＩパターンの各穴の周囲には支持接合部分（supporting  interface）がある。かかる支持材は、望ましくはビレットである。
【００１１】
望ましくは、引込み可能手段は、使用に対して伸張し、装置への格納に対して引込むベイ又はトレイである。
【図面の簡単な説明】
【００１２】
【図１】ＶＥＳＡ−ＦＤＭＩパターンを特徴とするハウジングの全体図である。
【図２】支持ビレットのクローズアップ図である。
【図３】図２中のビレットを示すハウジングの内部図である。
【図４】本発明に従った装置の全体図である。
【図５】図４に従った装置を後方に取付けられたフラットパネルディスプレイの前方斜視図である。
【図６】後方斜視図である。
【図７】摺動機構の斜視図である。
【図８】摺動機構のクローズアップ図である。
【図９】ハウジングの他の構成を図示する。
【図１０】更に他の実施例を図示する。
【発明を実施するための形態】
【００１３】
図１に示される本発明に従ったハウジングは、一般的に、コンピュータシステム又はコンピュータ内蔵システム等である電子構成要素を囲むよう意図されている。かかるシステムは、ハードディスクドライブ、光ディスクドライブ、フラッシュメモリ（及び／又は外部リーダ）、ＵＳＢ、多種の入力／出力及び／又はＡＶポートを備え得る。
【００１４】
ハウジング１０は、比較的浅い構造を形成する第１及び第２の壁１１及び１２を有する。多種のポート１３は、取り囲むエッジ壁１４上で可視である。そのためハウジング１０は、浅い矩形のボックス形状の構成要素の外観を備える。
【００１５】
図１はまた、ＶＥＳＡ−ＦＤＭＩ基準に基づいたスクリュ穴パターン１５を明示する。スクリュは、壁又は他の構造（取付けブラケット等）に対してフラットパネルディスプレイを取り付けるようハウジング１０にわたって延在する、ことが意図される。通常は、フラットパネルディスプレイの後方において与えられる基準パターンに依存して、利用される穴は４つである。
【００１６】
ハウジング１０が壁に対するディスプレイスクリーンの取付けによって圧壊されることを避けるよう、（アルミニウム等で作られる）ビレット１６は、図２に示されるように使用される。
【００１７】
異なるＶＥＳＡ−ＦＤＭＩ寸法に対応する大きな穴の各々に対して、かかるビレット１６の１つは、ハウジング１０内において該穴と位置合わせされる。スクリュは、壁とディスプレイとの間においてハウジング１０を取り付けるよう（ねじ山を付けられ得るか付けられ得ない貫通穴１６ａを介して）ビレット１６を通過し得る。
【００１８】
図３は、ビレット１６が柱支持材のように見えるハウジング１０の内部図を示す。スクリュ又は他の留め具が直接ビレットを通過するため、壁１１及び１２は共に、該スクリュ／留め具によって加えられる圧力を付けて圧壊しない。更には、壁１１及び１２は、一定の距離をおいて保持される。
【００１９】
図４は、トレイ１７の形状において図示される引込み可能手段がエッジ壁１４から伸張している本発明を示す。望ましい実施例において、トレイ１７は、ハウジング１０へと伸張する２つの脚部１８によって支持される。多種の電子装置及び／又はインターフェイスは、トレイ１７を介して引込み可能であるよう配置され得る。かかる装置は、光ディスク（ＣＤ、ＤＶＤ等）、フラッシュメモリリーダ、ＵＳＢハブ、ＡＶポート、又は他のボタンコントロールであり得る。
【００２０】
引込み可能手段はまた、必ずしもではないがおそらくは基準（規格）寸法にされた装置をホストする１つ又は複数の「ベイ（bays）」の形状であり得る。引込み可能手段がボールベアリング又は他の摺動機構を利用し得る、ことは明らかである。
【００２１】
望ましくはトレイ１７は、壁１１及び１２に合致する内部パネルから切断される上部及び下部カバー（１７ａ／１７ｂ）を有して、ハウジング１０へとしっかりとはめ合う（収る）。かかる機構は、単純であり且つ空間／厚さを節約する（抑える）。かかる機構はまた、構成要素が完全に合致されるため、振動及び騒音を防ぐという利点を備える。しかしながら、コンピュータシステムの筐体等である意図された用途において、トレイ１７は、その耐用年数中に特に頻繁にアクセスされる必要がない、ことが留意されるべきである。
【００２２】
あるいは、トレイ１７は、単一の内方向押しの後にトレイ１７を解放及び伸張させ、その後ハウジング１０へと戻されるときには再度適所においてロックするよう、スプリングを付けられるように構成され得る。
【００２３】
トレイ１７は、図１乃至３を参照して説明される通り、ＶＥＳＡ−ＦＤＭＩに準拠したハウジング１０から伸張するよう図示されている。しかしながら、本発明のこの態様は、基準スクリュパターンが与えられるか否かとは無関係に動作し得る。
【００２４】
引込み可能手段の利点は、大型フラットパネルディスプレイＤが図示される図５及び６によって最もよく示されている。本発明に従ったハウジング１０は、ディスプレイＤの後方においてゴースト図で示され、引込み可能トレイ１７は、アクセスのためにエッジＥに対して、あるいはエッジＥを越えて伸張し得る。たとえディスプレイ自体がハウジング１０より更に幅が広いときでも、ディスプレイＤの後部に対して取り付けられるコンピュータシステム又は他の電子装置に対してアクセス可能であるよう全ての主な機能性を維持する、こと自体は可能である。
【００２５】
図６に示される通り、ＴＶの幅に合致するよう伸張されるアーム１８を有して、トレイ１７は、ＵＳＢポート１９、オン／オフボタン２０、フラッシュメモリカードリーダ２１、及び／又はメディアプレイヤディスクスロット２２（Ｂｌｕ−Ｒａｙ（登録商標）、ＤＶＤ、ＣＤ−ＲＯＭ等）を有し得る。ハウジング１０における完全な装置は、グラフィック及び音声カード、ハードドライブ、マザーボード及びプロセッサ、並びにＵＳＢ又は他の接続によって付設可能である多種の他の周辺機器を有する、フル機能のデスクトップ型コンピュータであり得る。該装置は、一般的に、エンタテイメントを目的として構成され、メディアプレイヤ及び／又はインターネット接続を有し得る。
【００２６】
図７は、（任意で与えられ得る）ベアリング又はモータを使用しない、摺動機構の単純形状を示す。この実施例において（並びに図５及び６に示され通り）、ハウジング筐体は、頻繁に調節されるよう意図されていないため、焦点は、自由に動き得るが、さもなければ光メディア装置構成要素の回転からもたされる振動を排除するようしっかりとはめ合う設計を与える、ことである。
【００２７】
図８において、単純な摺動機構の構成は可視である。即ち、パネル脚部１８は、ハウジング壁１１及び１２に対して更なる厚さを加えるアルミニウムで作られた２つの層２３の間において摺動する。レーザカッティング工程は、０．１ｍｍのマージンを与え、チューブが摺動するよう十分なクリアランスを与える一方、しっかりとしたはめ合いを保持する。
【００２８】
図８はまた、所望の幅（伸張）が到達され次第、シャーシを有してトレイ１７を適所にロックするようハウジング及びアーム１８をスクリュが通過する経路２４を示す。実際には、このスクリュ動作は、まず装置をディスプレイＤにセットするときにのみ行なわれる。ディスプレイがアップグレードされるまでは、再度調整される必要はおそらくないであろう。
【００２９】
図９及び１０は、ハウジングの他の実施例を示す。
【００３０】
図９は、より大きなスクリーン寸法に対して容易に適合される一方でＦＤＭＩ取付け適合性を保持する、より小型のモデルを示す。工業的に既に開発されている通り、プレートは、ＶＥＳＡと独自の（proprietary）取付け穴との間に適合性を与えるよう使用され得る。
【００３１】
図１０は、伸張プレート２５を示す。該伸張プレート２５は、ハウジング１０を実質的に取り囲み、外側エッジに向かって取付け穴２６を備え得る更に大型のスクリーンに対して寸法を大きくする。
【００３２】
引込み可能手段の機能はそのアクセス可能性であり、トレイ１７として図示されているものがこの機能を実施する多くの形状を取り得ることは、当業者には明らかである。
【００３３】
＜産業上の利用可能性＞
本発明は、既知の工程を使用して入手可能である材料から製造され得る。ハウジング１０は、シート金属からプレスされ得るか、あるいはプラスチックからモールド成形され得、ビレット１６は壁１１及び／又は１２と一体的であり得る。引込み可能手段１７は、電動にされることを含め、アクセスに対して伸張し得るよう多種の形状を備え得る。
【図１】
2011502416.tif 000004
【図２】
2011502416.tif 000005
【図３】
2011502416.tif 000006
【図４】
2011502416.tif 000007
【図５】
2011502416.tif 000008
【図６】
2011502416.tif 000009
【図７】
2011502416.tif 000010
【図８】
2011502416.tif 000011
【図９】
2011502416.tif 000012
【図１０】
2011502416.tif 000013
【国際調査報告】
2011502416.tif 000014
2011502416.tif 000015
2011502416.tif 000016